(57)【要約】  鮮やか、かつ均一に発色することにより、使用後において検査結果が明確に判別可能である、粒状芯部と前記粒状芯部を被覆する被覆層部とを有する吸水処理材を提供する。【解決手段】  被覆層部は、９０重量％乃至９６重量％である基材と、１０重量％乃至４重量％の排泄物検査用材料とから構成されており、前記排泄物検査用材料は、吸着率２０重量％以上であり、微細孔を有する多孔質吸着剤と、前記多孔質吸着剤の前記微細孔に吸着されている排泄物検査用指示薬を含み、前記排泄物検査用指示薬の添加量は、被覆層部の全体量に対して、０．１重量％を超え１．０重量％以下の範囲内であることを特徴とする吸水処理材とした。【選択図】  図１
2012117504.tif 000002
【特許請求の範囲】
【請求項１】
粒状芯部と前記粒状芯部を被覆する被覆層部とを有する吸水処理材において、
前記被覆層部は、９０重量％乃至９６重量％である基材と、１０重量％乃至４重量％の排泄物検査用材料とから構成されており、
前記排泄物検査用材料は、吸着率２０重量％以上であり、微細孔を有する多孔質吸着剤と、前記多孔質吸着剤の前記微細孔に吸着されている排泄物検査用指示薬を含み、
前記排泄物検査用指示薬の添加量は、被覆層部の全体量に対して、０．１重量％を超え１．０重量％以下の範囲内であることを特徴とする吸水処理材。
【請求項２】
前記排泄物検査用指示薬は、インク組成物に定着させられていることを特徴とする請求項１に記載の吸水処理材。
【発明の詳細な説明】
【技術分野】
【０００１】
本発明は、人又は動物の排泄物などの液体中の尿検査機能を有する、粒状の吸水処理材（以下、単に「吸水処理材」という）に関する。
【背景技術】
【０００２】
近時、愛玩動物等の愛好者が増加しており、人間同様に、その健康状態を留意する飼主も多い。愛玩動物の健康状態の変化を調べることは外形的状態を観察することでは限界があるため、手軽かつ早期にかかる状態の変化を発見するために、粒状に形成された、ｐＨ指示薬を含む吸水処理材（排泄物処理材）が使用されている（特許文献１）。
【先行技術文献】
【特許文献】
【０００３】
【特許文献１】特開２０００−３３３５４７号公報
【発明の概要】
【発明が解決しようとする課題】
【０００４】
しかし、この吸水処理材は、ｐＨ指示薬を含有するインク組成物を水溶させ、その希釈液を粒状に形成された吸水処理材の表層に噴霧して製造している。そのため、ｐＨ指示薬を均一に表層に噴霧することが難しく、鮮やか、かつ均一に発色させることが難しい場合があるという問題が存在していた。また、近時、尿検査機能を有する指示薬を含有する吸水処理材であっても美観を有すること（着色等を施すことにより、使用場所に調和する外観を呈するように形成すること）が要求されているが、一般的に用いられている色素を混入して着色等したときには、当該色素が検査を阻害してしまう場合があるという問題が存在していた。さらに、吸水処理材は、使用後は廃棄せざるを得ないものであるが、尿検査機能を有する指示薬は高価であるため、可能な限り安価に製造することが求められていた。【０００５】
本発明は、上記の各問題点を解決するためになされたものであり、鮮やか、かつ均一に発色することにより、使用後において検査結果が明確に判別可能であるとともに、美観に優れ、安価かつ容易に製造することが可能となる吸水処理材を提供することを目的とする。
【課題を解決するための手段】
【０００６】
上記課題を解決するために、本発明の吸水処理材は、粒状芯部と前記粒状芯部を被覆する被覆層部とを有する吸水処理材において、上記被覆層部は、９０重量％乃至９６重量％である基材と、１０重量％乃至４重量％の排泄物検査用材料とから構成されており、上記排泄物検査用材料は、吸着率２０重量％以上（より好ましくは２５重量％以上）であり、微細孔を有する多孔質吸着剤と、上記多孔質吸着剤の上記微細孔に吸着されている排泄物検査用指示薬（以下、「検査用指示薬」という。）を含み、上記排泄物検査用指示薬の添加量は、被覆層部の全体量に対して、０．１０重量％を超え１．０重量％以下（より好ましくは０．１５重量％乃至０．５０重量％）の範囲内であることを特徴としている。【０００７】
ここで、上記検査用指示薬は、多孔質吸着剤に吸着させる必要があり、吸着させる方法は問わないものであるが、当該検査用指示薬を溶媒に溶解させた状態で定着させる（特に、インク組成物として定着させる）ことが好適である。
また、検査用指示薬は、尿等の排泄物と反応して変色することで、健康状態等の変化を認識できる各種の試薬であり、尿のｐＨ値を検出する尿ｐＨ値の検出用指示薬（以下「尿ｐＨ値検査用指示薬」という。）尿ブドウ糖検出用指示薬、尿蛋白検出用指示薬、尿潜血検出用指示薬又は尿ウロビリノーゲン検出用指示薬等の公知の指示薬を使用することができる。【０００８】
本発明の吸水処理材によれば、検査用指示薬を直接に添加するのではなく、当該検査用指示薬を多孔質吸着剤に吸着させている。この多孔質吸着剤は多数存在する間隙部に検査用指示薬をまんべんなく吸着させるものであるため、特段の処理をすることなく、明確に変色又は明度の変化（以下、「変色等」という。）を確認することが可能となる量の検査用指示薬を均一に保持させることができる。【０００９】
また、被覆層部に検査用指示薬を混入しているため、当該検査用指示薬と接触することにより、被覆層部が速やかに変色等することから、短時間で容易に、検査結果を判別することができる。
さらに、検査用指示薬を、被覆層部の全体量に対して、０．１重量％を超え１．０重量％添加しているため、使用前に所定明度及び彩度となるように発色をさせておくことができることから、外見上も美観を保持させることができる。
【発明の効果】
【００１０】
本発明によれば、鮮やか、かつ均一に発色することにより、使用後において検査結果が明確に判別可能であり、美観に優れ、安価かつ容易に製造することが可能である吸水処理材を提供することができる。
【図面の簡単な説明】
【００１１】
【図１】本発明の吸水処理材の製造方法を示す工程図である。
【発明を実施するための形態】
【００１２】
本発明を実施するための一形態（以下、「実施形態」という。）について、猫や犬等の愛玩動物用の排泄物を処理するための粒状である複層構造の吸水処理材（排尿処理材）を例として、図面を参照して詳細に説明する。
また、検査用指示薬は、尿ｐＨ値検査用指示薬を例として説明する。
【００１３】
［吸水処理材］
本発明の吸水処理材（以下、「本吸水処理材」という。）は、外部からの水分を吸収するための粒状芯部と、この粒状芯部の表面を被覆する所定厚さの被覆層部とから形成される複層構造を有している。
【００１４】
（１）粒状芯部
粒状芯部は、小塊の形状に形成されていればよく、完全な球形等である必要はないものであり、柱状体（細長形）、扁平形等、その形状は問わない。
また、粒状芯部は吸水性能又は保水性能を有しており、排泄物の検査にあたり、その検査を阻害する物質（例えば、排泄物のｐＨ値の変動を観察する場合には、その変動を与えない）を含まなければ、その材質等に制限はない。
例えば、ｐＨ値の検査を阻害しない有機物廃材であるバージンパルプ、トイレットペーパー廃材、ティッシュペーパー廃材、化粧紙廃材、ちり紙廃材、紙綿廃材、紙タオル廃材、不織布廃材等）を用いることができる。
【００１５】
また、粒状芯部には、ベントナイト、ゼオライト、酸化チタン等の無機質材料等を用いることもできる。
なお、脱臭材料、消臭材料、殺菌作用を有する物質、着色物質、吸水性能を阻害することなく、他の効果を奏することが可能となるような物質を配合することもできる。
【００１６】
（２）被覆層部
被覆層部は、使用時に尿等の排泄物で濡れた吸水処理材同士を付着させて塊状とさせる作用を奏させることを第１の目的として設けられている。また、被覆層部は、粒状芯部が固有の色を有している場合に、その周囲を覆うことによって、使用前に粒状芯部の色を隠すという作用を奏させることを第２の目的として設けられている。
上記被覆層部は、基材と排泄物検査用材料とから構成されている。
【００１７】
＜基材＞
上記被覆層部の目的を果たす役割は基材が担っているが、その材料の例としては、吸水性材料、接着性を有する水溶性材料（以下、「水溶性接着材料」という。）若しくは両材料の混合物と、紙粉の混合物とを用いることが好適である。
これらの物質としては、排泄物の検査にあたり、その検査を阻害しない公知の物質を用いることができる。例えば、上記吸水性樹脂としては、ＣＭＣ（カルボキシメチルセルロース）、ポリビニルアルコール（ＰＶＡ）、澱粉（Ｔ−α化澱粉、デキストリン、小麦澱粉、馬鈴薯澱粉）などの吸水性能を備える材料を使用することができる。
【００１８】
上記水溶性接着材料としては、例えば、糊料やポリアクリル酸ナトリウム等の高吸水性材料がある。このような接着剤として機能する糊料としては、馬鈴薯澱粉、小麦澱粉、甘藷澱粉、コーンスターチ（検査を阻害しないもの）、タピオカ澱粉、米澱粉、デキストリン、各アルファ（α）化した澱粉などの澱粉類、アクリルアミド、ＰＶＡ、カルボキシメチルセルロース又はアルギン酸ナトリウムを使用することができ、又はこれらの２種類以上の物質を組み合わせて使用することができる。
【００１９】
紙粉としては、バージンパルプ、トイレットペーパー用紙、トイレットペーパー廃材、ティッシュペーパー用紙、ティッシュペーパー廃材、ちり紙用紙、ちり紙廃材、紙綿、紙綿廃材、紙タオル、紙タオル廃材、綿状パルプ、綿状パルプ廃材、不織布製造時に発生する紙粉又はこれら二以上の粉砕物の混合物であり、何れも、０．５ミリメートル以下、好ましくは、０．３ミリメートル以下の粒度の粒状物に粉砕されて使用されることになる。
【００２０】
＜排泄物検査用材料＞
排泄物検査用材料は、検査用指示薬を含有したインク組成物（以下、「検査用指示薬含有インク組成物」という）を多孔質吸着剤に吸着させたものである。
【００２１】
（検査用指示薬含有インク組成物）
検査用指示薬含有インク組成物は、検査用指示薬をインク組成物に定着させたものである。
【００２２】
◎検査用指示薬
排泄物のｐＨ値の測定は、当該尿のｐＨ値を検出して、例えば持続性の酸性尿又はアルカリ性尿の検出を行い、結石症やその他疾病の必要性を判断することを目的としている。犬や猫などの肉食動物の尿のｐＨ値は、健康時で、４．３乃至７．０であるところから、通常時（健康時）のｐＨ値４．３乃至７．０と、疾病時のｐＨ値４．３未満又は疾病時のｐＨ値７．０を超えたｐＨ値を変色により判別することが可能となる、すなわち、ｐＨ値４．３又は７．０を閾値として変色する尿ｐＨ値検査用指示薬を使用することにより、その判別を行うことができる。
【００２３】
また、人の尿のｐＨ値は、健康時に通常の食事を取っているときで、４．６乃至７．５であるところから、疾病時のｐＨ値４．６未満又は疾病時のｐＨ値７．６を超えたｐＨ値を変色により判別することが可能となる、すなわち、ｐＨ値４．６又は７．５を閾値として変色する尿ｐＨ値検査用指示薬を使用することにより、その判別を行うことができる。
【００２４】
このようなｐＨ値、即ち、４．１乃至７．７のｐＨ域に変色域を有する尿ｐＨ値検査用指示薬としては、チモールブルー、フェノールフタレイン、トロペオリンＯＯＯ、クレゾールレッド、フェノールレッド、ニュートラルレッド、ブロモチモールブルー、ブロモクレゾールパープル、ブロモフェノールレッド、ｐ−ニトロフェノール、メチルレッド、ブロモクレゾールグリーン、テトラブロモフェノールブルー、クロロフェノールレッド、メチルオレンジ、エチルオレンジ、ブロモフェノールブルー、ブリリアントイエロー、コンゴーレッド又はブロモクレゾールブルー等が存在するため、検出の目的に応じて、上記の指示薬を単体で、あるいは、２種類以上の指示薬を組み合わせて使用することができる。
なお、適切な２種類以上の指示薬を組み合わせる場合には、所望の変色域の設定が可能となるとともに、所望の発色を行うことが可能となるため好適である。
また、この他に全ｐＨ域でｐＨ値の測定を行うことができるユニバーサル指示薬を使用することもできる。
【００２５】
例えば変色時のｐＨ値の閾値が４．３である場合には、ブロムフェノールブルー又はメチルオレンジとブロモクレゾールグリーンをエタノールに溶解させたものを使用すること、変色時のｐＨ値の閾値が７．０である場合には、ブロムチモールブルーを使用することができる。
【００２６】
◎インク組成物
上記検査用指示薬含有インク組成物は、検査用指示薬及び結合剤を公知のインク組成物に定着させたものであり、本実施形態では、上記尿ｐＨ値検査用指示薬を、例えば、セルロース及び該セルロースの誘導体等の樹脂類の少なくとも一種類（以下、「樹脂類」という。）を有機溶媒中で分散、または、溶解させることにより作成することができる。具体的には、尿ｐＨ値検査用指示薬に樹脂類を加え、メタノール、エタノール等のアルコール類、トルエン等の芳香族炭化水素類、酢酸プロピル等のエステルなどの有機溶媒中で分散、又は、溶解して検査用指示薬含有インク組成物を形成するものである。
樹脂類については、セロール、メチルセルロース、エチルセルロース、ヒドロキシプロピルセルロース、ヒドロキシプロピルメチルセルロース、カルボキシメチルセルロース等が、濡れ性及び目視による判定がし易いなどの点から好ましい。またこの場合、溶剤としては、上記検査用指示薬及び結合剤としての樹脂を安定して溶解できる、又は分散できる溶剤を選ぶことが好ましい。
【００２７】
結合剤は、排泄物の検査に影響を及ぼすことなく、検査用指示薬の発色を妨げず、また発色した色を安定化させる水溶性高分子化合物（天然親水性高分子化合物、半合成親水性高分子化合物）、並びに、排泄物の検査に影響を及ぼすことなく、また、検査用指示薬の発色を妨げることがないもので、被膜形成機能を有する水不溶性高分子化合物があるが、これら両者を組み合わせて形成するのが好ましい。
【００２８】
上記天然親水性高分子化合物としては、甘薯澱粉、馬鈴薯澱粉、蒟蒻粉、布海苔、アルギン酸ナトリウム、トロロアオイ、トンガロゴム、アラビアゴム、デキストラン、レバン、ニカワ、ゼラチン、カゼイン及びコラーゲン等を使用することができる。
上記半合成親水性高分子化合物としては、メチルセルロース、ヒドロキシプロピルセルロース、ヒドロキシエチルセルロース及びカルボキシメチルセルロース等のセルロース誘導体、並びにジアルデヒド澱粉誘導体等を使用することができる。
【００２９】
また、上記被膜形成機能を有する水不溶性高分子化合物としては、ニトロセルロース、酢酸セルロース、エチルセルロース、酢酪酸セルロース等のセルロース樹脂を使用することができ、また、ポリエステル樹脂、アルキド樹脂、ポリウレタン樹脂、エポキシ樹脂、アクリル樹脂、塩化ビニル樹脂、塩化ビニル共重合体樹脂、ポリビニルブチラール、ポリ酢酸ビニルエマルション、酢酸ビニルコポリマー（酢酸ビニル−アクリル酸エステル等）エマルション、アクリル酸エステル共重合体エマルション、エポキシ樹脂エマルション及び合成ゴムラテックス等を使用することができる。これらの被膜形成機能を有する高分子化合物中で、特にウレタン樹脂及びポリビニルブチラールは、検査用指示薬の変色及びｐＨ値の測定に悪影響を及ぼさないため好ましい。
【００３０】
さらに、上記検査用指示薬含有インク組成物には、結合剤、安定剤或いは均一な試薬層を形成できるように界面活性剤など（非イオン界面活性剤、陰イオン界面活性剤、陽イオン界面活性剤、両性イオン界面活性剤又はポリエチレングリコールなど）の公知の添加剤を加えることができる。
【００３１】
一般に、検査用指示薬含有のインク組成物の構成物質及びその配合割合は、検査用指示薬及び結合材１重量％乃至１０重量％、セルロース等１重量％乃至１５重量％、糊剤１０重量％以下であり、残余は溶剤から構成されている。
【００３２】
（多孔質吸着剤）
多孔質吸着剤は、微細孔（微細空隙）を多く含み、表面積が大きく、吸着率が２０重量％以上（好ましくは２５重量％）である吸着剤を用いることが必要であり、シリカゲル（いわゆる、Ａ型シリカゲル及びＢ型シリカゲル）（二酸化珪素）、ゼオライト（アルミノ珪酸塩）等の公知の物質を用いることができる。特に、Ｂ型シリカゲルは、平均吸着表面積約４５０（ｍ２／ｇ）、平均微細孔径約６０Å、微細孔容積約０．７５（ｍｌ／ｇ））と、Ａ型シリカゲル（Ａ型シリカゲルは平均吸着表面積約７００（ｍ２／ｇ）、平均微細孔径約２４Å、微細孔容積約０．４６（ｍｌ／ｇ））と比較して、微細孔径及び微細孔容積が大きいため、検査用指示薬含有インク組成物を吸着させる場合には高い吸着性能を発揮することになり、非常に好適である。
【００３３】
また、被覆層部には、浸透剤又は膨潤剤を添加することも可能である。浸透剤としては、各種の界面活性剤など公知の物質を用いることができ、膨潤剤としては、セルロース系の膨潤剤など公知の物質を使用することができる。
【００３４】
＜その他の添加材料＞
本発明の吸水処理材において、不織布の粉砕物粒子を用いた場合には、排泄物が排泄された場合において、当該粉砕物粒子を相互に接着させ、塊状とさせることにより、排泄後の排泄物処理材の取り扱いを容易とさせるために、尿の検査に影響を与えない糊料である接着性を有する糊剤が添加される。このような糊剤としては、上記検査用指示薬含有のインク組成物において結合剤として使用される天然親水性高分子化合物、半合成親水性高分子化合物等の水溶性高分子化合物を使用することができる。
【００３５】
また、被覆層部には、浸透剤又は膨潤剤を添加することも可能である。浸透剤としては、各種の界面活性剤など公知の物質を用いることができ、膨潤剤としては、セルロース系の膨潤剤など公知の物質を使用することができる。
【００３６】
◎各材料の構成比率
本吸水処理材は、粒状芯部が８０重量％乃至８７重量％、被覆層部が２０重量％乃至１３重量％の構成比率であることが、粒状芯部の寸法及び被覆層部の層厚や下記の水溶性染料の添加割合との関係上最適である。
【００３７】
上記被覆層部は、９０重量％乃至９６重量％である基材と、１０重量％乃至４重量％の排泄物検査用材料とから構成されている。
【００３８】
そして、上記排泄物検査用材料における検査用指示薬の添加量は、被覆層部の全体量に対して、０．１重量％を超え１．０重量％以下（好ましくは、０．１５重量％乃至０．５０重量％）の範囲内となることが必要となる。そのため、検査用指示薬をインク組成物に定着させる場合には、検査用指示薬量が上記範囲内となるように溶媒等の量を調節するとともに、多孔質吸着剤の種類に応じてその量を定める必要がある。
【００３９】
本吸水処理材は使用前における美観を保つために、予め所望の明度及び彩度（特に、明度が重要である）に発色させておく必要があるが、上記排泄物検査用材料における検査用指示薬の添加量は、少なすぎると使用前に発色しないことになる。一方、多孔質吸着剤は間隙率に応じて吸着可能な検査用指示薬の量が定まるものであり、当該検査用指示薬を必要以上に多量に添加しても使用前後において、発色の程度（明度）が変化しないことになる。そのため、発明者は鋭意実験を重ねることにより、上記の好適な添加量を見出したものである。
【００４０】
［製造方法］
続いて、本発明の吸水処理材の製造方法について、図１を参照して説明する。
本発明に係る排泄物処理材の製造方法は、造粒工程（Ｓ１）と、排泄物検査用指示薬吸着工程（Ｓ２）と、被覆材料製造工程（Ｓ３）と、被覆工程（Ｓ４）と、分粒工程（Ｓ５）と、乾燥工程（Ｓ６）とから構成されている。
【００４１】
（１）造粒工程（Ｓ１）
本工程は、粒状芯部を形成する工程である。
本工程では、パルプ廃材等の構成材料を破砕機で所定の大きさに粉砕し、当該粉砕された構成材料を所定の割合となるようにミキサーに投入して混ぜ合わせる。そして、加水して含水率を高めた後に、混合された構成材料を押出造粒することにより、粒状芯部を形成する作業を行うことになる。
【００４２】
被覆材料は粒状芯部に存在する水分によってその周囲に付着するため、当該被覆層部の形成前における粒状芯部の含水率の下限値を下回ると、粒状芯部の周囲に被覆層部を形成する材料が付着しないことになる。すなわち、粒状芯部の含水率が２０重量％未満の場合には、所定の作用を奏するために必要となる所定厚の被覆層部が形成されず、複層構造の吸水処理材が形成されない結果となり、被覆層部に剥離が生じたり、使用後に塊状にならならず、美観にも優れないため好ましくない。
一方、粒状芯部の含水率が４１重量％を上回ると、乾燥工程に時間を要する等の理由で好ましくない。
このような事情を考慮して、上記の押出造粒する場合には、２０重量％乃至４１重量％（より好ましくは、２０重量％乃至２５重量％）となるように粒状芯部の含水率を調整することが好ましい。
【００４３】
（２）排泄物検査用指示薬吸着工程（Ｓ２）
本工程は、排泄物検査用材料を調合する工程である。
本工程では、上記検査用指示薬を溶媒に溶解させて作成した検査用指示薬含有インク組成物を多孔質吸着剤に吸着させる工程である。
【００４４】
本工程では、公知の方法により製造された検査用指示薬含有インク組成物を、微細粉末とした多孔質吸着剤に少量ずつ、滴下し、混合することにより、検査用指示薬を多孔質吸着剤に吸着させて排泄物検査用材料を調合する。
検査用指示薬と多孔質吸着剤の構成割合は、多孔質吸着剤の吸着率に依存して定められることになる。しかし、多孔質吸着剤の添加量を所定量より多くすると、多孔質吸着剤の粒子が被覆層部の表層から顕出してしまい、当該顕出した部分が表層から突起状に突出することになる。そして、袋詰時や運搬時において、吸水処理材同士が接触することにより、当該突出部が基端部から分離し、表層部が破損するなどの状態が生じるため好ましくない。
【００４５】
また、検査用指示薬の添加量は、被覆層部の全体量に対して、０．１重量％を超え１．０重量％以下の範囲内であることが必要となるが、検査用指示薬をインク組成物に定着させる場合には、検査用指示薬の添加量が上記範囲内となるように溶剤等の量を調節することになる。
ところで、多孔質吸着剤の最大吸着率はその物質により決まっているため、必要となる検査用指示薬を吸着させるための多孔質吸着剤に関する最低必要量が決定されることになり、それにより定められた量の多孔質吸着剤に検査用指示薬含有インク組成物を吸着させることになる。
【００４６】
（３）被覆材料製造工程（Ｓ３）
本工程は、被覆部を構成する被覆材料を製造する工程である。
本工程は、所定の材料から構成される基材に、排泄物検査用指示薬吸着工程で調合された排泄物検査用材料を添加し、所望の検査用指示薬の量となるように所定の割合で混合することにより被覆材料を製造する工程である。
なお、被覆層部に、浸透剤や膨潤剤などの被覆材料と排泄物検査用材料以外の所望の材料を添加するときは、本工程で行うことになる。
【００４７】
（４）被覆工程（Ｓ４）
本工程は、粒状芯部の周囲を上記被覆材料で被覆することにより、被覆層部を形成する工程である。本工程では、コーティング装置等を用いて、粒状芯部の周囲に被覆材料を噴霧し、被覆層部を形成することにより、複層構造の吸水処理材を製造する作業を行うことになる。
【００４８】
（５）分粒工程（Ｓ５）
本工程は、吸水処理材の寸法が所定の規格になるように分粒する工程である。
本工程では、所定の寸法の篩目を有する篩に、前工程で製造された吸水処理材を通過させることにより規格外の製品を分別し、所定の規格品のみを抽出する作業を行うことになる。
【００４９】
（６）乾燥工程（Ｓ６）
本工程は、規格品として抽出した吸水処理材を乾燥機で乾燥させる工程である。
吸水性処理材の保存時において粒状芯部の含水率が高い場合には、長期的に粒状芯部の水分が滲出し、品質の劣化の原因となるなど好ましくない。そこで、保存時の品質の劣化等を防ぐことが可能となるように、粒状芯部の含水率が３％以上１０％以下の範囲内となるように乾燥させることになる。
【００５０】
［作用効果］
本発明の吸水処理材によれば、検査用指示薬を被覆層部の構成材料に直接に添加するのではなく、当該検査用指示薬を一旦溶媒に溶解させ検査用指示薬含有インク組成物とし、その後、多孔質吸着剤に吸着させている。多孔質吸着剤は多数存在する間隙部に検査用指示薬をまんべんなく吸着させているため、特段の処理をすることなく、明確に変色又は明度の変化を認識することが可能となる量の検査用指示薬を均一に保持させることができる。
【００５１】
また、被覆層部に検査用指示薬を混入しているため、当該検査用指示薬と接触することにより、被覆層部が速やかに変色等することから、短時間で容易に、検査結果を判別することができる。
さらに、本発明の吸水処理材によれば、検査用指示薬の添加量として、被覆層部の全体量に対して、０．１重量％を超える量を配合しているため、使用前に所定明度及び彩度の発色をさせておくことができるため、外見上も美観を保持させることができる。そのため、検査用指示薬や着色料を含有しないタイプの安価吸水処理材と混合して使用した場合であっても、所定の検査を行うことができるため、経済的にも優れた吸水処理材とすることができる。
【００５２】
以上、本発明について、好適な実施形態についての一例を説明したが、本発明は当該実施形態に限られず、本発明の趣旨を逸脱しない範囲で適宜設計変更が可能である。本実施形態では、愛玩動用の排泄物を処理するための吸水処理材を例として説明したが、吸水処理材の用途は人間や他の動物等に使用するものであってもいいことは言うまでもない。
また、検査用指示薬として、尿ｐＨ値検出用指示薬を例として説明したが、検査用指示薬はそれに限定されるものではなく、尿ブドウ糖検出用指示薬、尿蛋白検出用指示薬、尿潜血検出用指示薬又は尿ウロビリノーゲン検出用指示薬等、各種の指示薬を使用することができる。
【００５３】
さらに、上記説明において、造粒工程の後に排泄物検査用指示薬吸着工程を行う説明としたが、両工程は時間的に並列して行ってもよく、上記工程以外にも、適宜、他の工程を追加することも可能である。
また、種類の異なる複数の検査用指示薬を溶媒に溶解させて、多孔質吸着剤に吸着させ、それを被覆層部に添加することとすれば、一度に複数の検査結果の判別を行うことができる。
【実施例】
【００５４】
本発明の吸水処理材の性能を調べるために、下記製造方法でサンプルを作成し、発色試験を行った。【００５５】
＜構成材料＞
以下の試験で使用した各サンプルは、本発明の製造方法により製造されたものであり、粒状芯部と被覆層部とから形成される複層構造の吸水処理材である。当該粒状芯部と被覆層部を構成する材料の重量比は８３重量％対１７重量％であり、１０００ｇのサンプルを製造した。【００５６】
（１）粒状芯部
バージンパルプ（５０重量％、含水率８．０％）、パルプスラッジ（４９重量％、含水率５７．０％）、コーンスターチ（１重量％、含水率９．０％）を原材料とした。【００５７】
（２）被覆層部
被覆層部は、基材（バージンパルプとカルボキシメチルセルロースの混合物）（但し、配合比率は同重量％）と排泄物検査用材料を混合して生成した。【００５８】
排泄物検査用材料は、検査用指示薬含有インク組成物と多孔質吸着剤から構成されている。
検査用指示薬含有インク組成物は、ブロモチモールブルー（検査用指示薬）（アドバンテック東洋株式会社製）とセルロース系樹脂を有機溶媒（工業用エチルアルコール及びメチルアルコール）に溶解させたものを使用し（いずれも、東洋インキ製造株式会社製）、検査用指示薬の添加量を変化させてサンプルを製造した。
また、多孔質吸着剤として、シリカゲル（Ａ型）の微粉末（ハイモ株式会社製）を使用した。【００５９】
＜サンプル＞
被覆層部は、全重量に対して、基材を９３重量％、排泄物検査用材料を７重量％としている。
そして、被覆層部の全体量に対して、検査用指示薬の配合量を０．０９重量％、０．１０重量％、０．１１重量％、０．１５重量％、０．２０重量％、０．３０重量％、０．４０重量％、０．５０重量％、０．６０重量％、０．７０重量％、０．８０重量％、０．９０重量％、１．００重量％、１．１０重量％として、配合比率の異なる合計１４サンプルを作成した。【００６０】
＜観察結果＞
上記の各サンプルに関し、それぞれ使用前、及び、ｐＨが６．８となるように調整した適量の生理食塩水（塩化ナトリウム濃度０．９重量％）の滴下後（使用後に相当）における被覆層部の発色の程度を目視により観察し、マンセルカラーシステムによる明度を測定した（表１）。【００６１】
（１）被覆層部の全重量に対する検査用指示薬の添加量を０．０９重量％及び０．１０重量％としたサンプル１，２に関しては、使用前において被覆層部の発色が視認されないという不適切な結果となった。【００６２】
【表１】
2012117504.tif 000003
2012117504.tif 000004
【００６３】
（２）一方、被覆層部の全重量に対する検査用指示薬の添加量を０．１１重量〜１．０重量％としたサンプル３〜１３に関しては、使用前において所定明度である緑色の発色が生じた。そして、上記と同様な疑似尿を滴下した場合（使用後に相当）には、それぞれ明度が向上し、使用後の状況を確認することができるという良好な結果が得られた。特に、使用前後の明度の変化を視認しやすかったのは、検査用指示薬の添加量を０．１５重量〜０．５０重量％としたサンプル４〜８であった。
なお、各サンプルに対して、ｐＨが８．０となるように調整した適量の生理食塩水（塩化ナトリウム濃度０．９重量％）を滴下したところ、同一の明度である青色に変色したことが確認された。【００６４】
（３）被覆層部の全重量に対する検査用指示薬の添加量を１．１０重量％としたサンプル１４に関しては、使用前後において緑色の発色がなされたが明度が変化せず、使用後の状況を確認することができないという不適切な結果となった。【００６５】
以上のように発色試験の結果、検査用指示薬の添加量は、被覆層部の全体量に対して、０．１重量％を超え１．０重量％以下の範囲内（特に、好ましくは、０．１５重量％乃至０．５０重量％）とすることが好適であることが明かになった。
【符号の説明】
【００６６】
Ｓ１  造粒工程
Ｓ２  排泄物検査用指示薬吸着工程
Ｓ３  被覆材料製造工程
Ｓ４  被覆工程
Ｓ５  分粒工程
Ｓ６  乾燥工程
【図１】
2012117504.tif 000005
【国際調査報告】
2012117504.tif 000006
2012117504.tif 000007
2012117504.tif 000008
2012117504.tif 000009